(57)【要約】【課題】  小型化した画像表示装置を提供する。【解決手段】  画像情報によって変調された被変調光Ｈを出力する被変調光出力部９と、該被変調光Ｈを第１方向に走査する第１走査部１１と、該被変調光Ｈを第１方向と直交する第２方向に走査する第２走査部１３と、該第１走査部１１と第２走査部１３との間に設けられたリレー光学系１２とを備え、被変調光Ｈを走査して画像を表示するようにした画像表示装置１であって、前枠３と、ツル４によって装置利用者の頭部に装着される眼鏡型装置枠体２が設けられ、少なくとも前記リレー光学系１２は、前記ツル４内に設けられたものである。【選択図】    図１
2005156979.tif 000002
【特許請求の範囲】
【請求項１】
画像情報によって変調された被変調光を出力する被変調光出力部と、該被変調光を第１方向に走査する第１走査部と、該被変調光を第１方向と直交する第２方向に走査する第２走査部と、該第１走査部と第２走査部との間に設けられたリレー光学系とを備え、被変調光を走査して画像を表示するようにした画像表示装置であって、
前枠と、ツルによって装置利用者の頭部に装着される眼鏡型装置枠体が設けられ、少なくとも前記リレー光学系は、前記ツル内に設けられたことを特徴とする画像表示装置。
【請求項２】
前記ツルは、装置利用者の耳側から眼側に延設され、前記リレー光学系は、前記ツルの延設方向に沿って、前記ツル内に設けられていることを特徴とする請求項１に記載の画像表示装置。
【請求項３】
前記第１走査部と第２走査部との少なくとも何れか一方が前記ツル内に設けられたことを特徴とする請求項1又は請求項２に記載の画像表示装置。
【請求項４】
前記ツルは、耳側を湾曲状に形成した耳掛け部を有し、前記被変調光出力部の被変調光出力口が前記耳掛部に設けられ、被変調光出力口から出力される被変調光の光軸が該耳掛部を通って前記第１走査部に至ることを特徴とする請求項１乃至請求項３の何れか１項に記載の画像表示装置。
【請求項５】
前記リレー光学系の光軸に略平行な方向に向けて前記被変調光が出力するように被変調光出力部の被変調光出力口が設けられていることを特徴とする請求項１乃至請求項３の何れか1項に記載の画像表示装置。
【請求項６】
前記被変調光出力口と対向させて波面曲率変調部を設け、該波面曲率変調部と前記被変調光出力口との間の光路が前記リレー光学系の光軸と略平行となるように、被変調光出力口と波面曲率変調部が配置されていることを特徴とする請求項５に記載の画像表示装置。
【請求項７】
画像情報に応じて変調された被変調光を出力する被変調光出力部と、該被変調光を走査する走査部とを備え、被変調光を走査して画像を表示する画像表示装置であって、
前記被変調光出力部の被変調光出力口から出力される被変調光を前記走査部に向けて反射する反射ミラーを備え、前記被変調光出力口から出力される被変調光の光軸と、前記走査部によって走査された被変調光における中心光束の光軸とが略平行になるように、前記被変調光出力口と前記反射ミラーと前記走査部とが配置されていることを特徴とする画像表示装置。
【請求項８】
前記走査部は、被変調光を第１方向に走査する第１走査部と、被変調光を第１走査部と直交する方向に走査する第２走査部とを備え、
前記反射ミラーは、前記第１走査部へ向けて反射されることを特徴とする請求項７に記載の画像表示装置。
【請求項９】
前記被変調光出力口と対向させて波面曲率変調部を設け、前記反射ミラーを被変調光出力口と波面曲率変調部との間に配置したことを特徴とする請求項７又は請求項８に記載の画像表示装置。
【請求項１０】
前記被変調光出力部が前記ツルに設けられたことを特徴とする請求項１乃至請求項９の何れか１項に記載の画像表示装置。
【請求項１１】
前記被変調光出力部が前記ツルとは独立して設けられ、前記被変調光出力部と前記ツルとは光伝送部によって接続されていることを特徴とする請求項１乃至請求項９の何れか１項に記載の画像表示装置。
【請求項１２】
脱落防止用の脱落防止部を備え、前記光伝送部は該脱落防止部内を挿通して設けられたことを特徴する請求項１１に記載の画像表示装置。
【発明の詳細な説明】
【技術分野】
【０００１】
本発明は、画像表示装置に関するものである。
【背景技術】
【０００２】
一般的に、画像表示装置は、光を画像信号に応じて変調した被変調光をスクリーン上に走査することにより、スクリーン等に画像を表示するものである（特許文献１）。
【特許文献１】特開２０００−１１１８２９号公報
【０００３】
図１３は特許文献１に記載の画像表示装置１００を示す。この画像表示装置１００は、眼鏡型に形成された装置枠体１０１のツル１０２の外面に沿って投影ユニット１０３と走査ミラー１０４を設け、投影ユニット１０３から出力された被変調光Ｈを走査ミラー１０４で反射して装置枠体１０１の反射ミラーの部分１０５で反射し、観察者の眼１０６に入射する構成になっている。
【０００４】
このように構成された画像表示装置１００においては、走査ミラー１０４の揺動を制御して、走査ミラー１０４の向きを制御することにより、被変調光Ｈを反射ミラーの部分１０５に走査して反射ミラーの部分１０５から反射された被変調光Ｈが観察者の眼１０６に入射し、該眼１０６の網膜上を走査されて画像を表示するものである。
【発明の開示】
【発明が解決しようとする課題】
【０００５】
しかし、このように構成された従来技術の画像表示装置１００においては、眼鏡型の枠体１０１のツル１０２の外面に投影ユニット１０３と走査ミラー１０４とを設けた構成であるが、小型化には十分ではなかった。
【０００６】
本発明は前述の従来技術に鑑みてなされたもので、その目的は、小型化された画像表示装置を提供するにある。
【課題を解決するための手段】
【０００７】
請求項１に記載に発明は、画像情報によって変調された被変調光を出力する被変調光出力部と、該被変調光を第１方向に走査する第１走査部と、該被変調光を第１方向と直交する第２方向に走査する第２走査部と、該第１走査部と第２走査部との間に設けられたリレー光学系とを備え、被変調光を走査して画像を表示するようにした画像表示装置であって、前枠と、ツルによって装置利用者の頭部に装着される眼鏡型装置枠体が設けられ、少なくとも前記リレー光学系は、前記ツル内に設けられたことを特徴とするものである。
【０００８】
請求項２に記載の発明は、請求項１に記載の画像表示装置において、ツルは、装置利用者の耳側から眼側に延設され、前記リレー光学系は、前記ツルの延設方向に沿って、前記ツル内に設けられていることを特徴とするものである。
【０００９】
請求項３に記載の発明は、請求項1又は請求項２に記載の画像表示装置において、第１走査部と第２走査部との少なくとも何れか一方が前記ツル内に設けられたことを特徴とするものである。
【００１０】
請求項４に記載の発明は、請求項１乃至請求項３の何れか１項に記載の画像表示装置において、ツルは、耳側を湾曲状に形成した耳掛部を有し、前記被変調光出力部の被変調光出力口が前記耳掛部に設けられ、被変調光出力口から出力される被変調光の光軸が該耳掛部を通って前記第１走査部に至ることを特徴とするものである。
【００１１】
請求項５に記載の発明は、請求項１乃至請求項３の何れか1項に記載の画像表示装置において、リレー光学系の光軸に略平行な方向に向けて前記被変調光が出力するように被変調光出力部の被変調光出力口が設けられていることを特徴とするものである。
【００１２】
請求項６に記載の発明は、請求項５に記載の画像表示装置において、被変調光出力口と対向させて波面曲率変調部を設け、該波面曲率変調部と前記被変調光出力口との間の中心光束が前記リレー光学系の光軸と略平行となるように、被変調光出力口と波面曲率変調部が配置されていることを特徴とするものである。
【００１３】
請求項７に記載の発明は、画像情報に応じて変調された被変調光を出力する被変調光出力部と、該被変調光を走査する走査部とを備え、被変調光を走査して画像を表示する画像表示装置であって、前記被変調光出力部の被変調光出力口から出力される被変調光を前記走査部に向けて反射する反射ミラーを備え、前記被変調光出力口から出力される被変調光の光軸と、前記走査部によって走査された被変調光における中心光束の光軸とが略平行になるように、前記被変調光出力口と前記反射ミラーと前記走査部とが配置されていることを特徴とするものである。
【００１４】
請求項８に記載の発明は、請求項７に記載の画像表示装置において、走査部は、被変調光を第１方向に走査する第１走査部と、被変調光を第１走査部と直交する方向に走査する第２走査部とを備え、反射ミラーは、前記第１走査部へ向けて反射されることを特徴とするものである。
【００１５】
請求項９に記載の発明は、請求項７又は請求項８に記載の画像表示装置において、被変調光出力口と対向させて波面曲率変調部を設け、前記反射ミラーを被変調光出力口と波面曲率変調部との間に配置したことを特徴とするものである。
【００１６】
請求項１０に記載の発明は、請求項１乃至請求項９の何れか１項に記載の画像表示装置において、被変調光出力部が前記ツルに設けられたことを特徴とするものである。
【００１７】
請求項１１に記載の発明は、請求項１乃至請求項９の何れか１項に記載の画像表示装置において、被変調光出力部が前記ツルとは独立して設けられ、前記被変調光出力部と前記ツルとは光伝送部によって接続されていることを特徴とするものである。
【００１８】
請求項１２に記載の発明は、請求項１１に記載の画像表示装置において、脱落防止用の脱落防止部を備え、前記光伝送部は該脱落防止部内を挿通して設けられたことを特徴するものである。
【発明の効果】
【００１９】
請求項１に記載の画像表示装置によれば、画像表示装置を構成する第１走査部と第２走査部との間にリレー光学系を配置したので、第１走査部で走査された光束が、第２走査部のミラー上に集められるため、第２走査部の偏向ミラーを小型にすることができ、ツル内に配置するのが十分可能となる。従って、画像表示装置全体を小型にすることが可能となる。
【００２０】
請求項２に記載の画像表示装置によれば、眼鏡型装置枠体のツルの延設方向に沿って該ツル内に設けるようにしたため、ツルを太幅に変形させることなく、ツル内にリレー光学系の部品等を設けることができる。
【００２１】
請求項３に記載の画像表示装置によれば、第１走査部又は第２走査部の少なくとも一方の損傷等を防止することができる。
【００２２】
請求項４に記載の画像表示装置によれば、眼鏡型装置枠体のツルに設けられた耳掛部に被変調光出力部の被変調光出力口が設けられているため、ツルの形状を有効に利用して小型化することができる。
【００２３】
請求項５に記載の画像表示装置によれば、ツル内に設けられるリレー光学系の光軸に略平行な方向へ向けて被変調光出力部から被変調光が出力されるため、装置全体の幅を狭幅に形成することができる。
【００２４】
請求項６に記載の画像表示装置によれば、被変調光出力口と波面曲率変調部との間の光路の光軸をリレー光学系の光軸に平行にしたため、装置全体の幅を狭幅に形成することができる。
【００２５】
請求項７に記載の画像表示装置によれば、被変調光出力部の被変調光出力口から出力される被変調光の光軸と、走査部によって走査された被変調光における中心光束の光軸とが略平行になるように光学部品を配置したため、装置全体の幅を狭幅に形成して、小型化することができる。
【００２６】
請求項８に記載の画像表示装置によれば、走査部が第１走査部と第２走査部とを備えているため、画像を二次元的に表示することができる。
【００２７】
請求項９に記載の画像表示装置によれば、第１走査部と第２走査部とを有する他に、波面曲率変調部を備えることにより、画像の遠近感を表示できる画像表示装置の幅を狭幅にすることができる。
【００２８】
請求項１０に記載の画像表示装置によれば、被変調光出力部をツル内に設けたため、被変調光出力部が装置利用者に触れる虞がなく、損傷の虞がない。
【００２９】
請求項１１に記載の画像表示装置によれば、被変調光出力部をツル以外の個所に設けたため、ツルが軽量化する。
【００３０】
請求項１２に記載の画像表示装置によれば、脱落防止部を設けたため、画像表紙装置が装置利用者から脱落する虞がないだけでなく、走査部に供給される被変調光を伝送する光伝送部を脱落防止部内を挿通して設けたため、光伝送部が外部に露出して損傷する虞がないだけでなく、該光伝送部の存在が装置利用者の邪魔にならない。
【発明を実施するための最良の形態】
【００３１】
図１乃至図４は本発明に係る画像表示装置１の第１実施形態を示す。図１に示すように、画像表示装置１は、眼鏡型装置枠体２を有している。この眼鏡型装置枠体２は前枠３と、前枠３の両端に連結されたツル４とを備えることにより、いわゆる、眼鏡型に形成されている。図１は、左右の眼の内の片側の眼に対応する部分のみを図示しているものである。ツル４は、装置利用者の眼側において前枠３に対して折畳み・伸長自在に連結される連結部５を有している。ツル４は、装置利用者の耳側から眼側、即ち、前枠３側へ向けて延設されている。眼鏡型装置枠体２はこのように眼鏡型に形成されることにより、装置利用者は眼鏡と同様な装着のし方によって頭部に装着することができるものである。
【００３２】
画像表示装置１は、前述の眼鏡型装置枠体２の他に、被変調光を出力する被変調光出力系６と、該被変調光を前枠３の反射ミラー３ａに走査する走査系７とを備えている。
【００３３】
被変調光出力系６と走査系７との間には、反射ミラー８が設けられている。被変調光出力系６の光路の光軸Ｋ１と、走査系７の中心光束の光軸Ｋ２とは実質的に平行であって、被変調光出力系６内を進行する被変調光は、反射ミラー８によって走査系７内に導かれるものである。
【００３４】
尚、画像を表示する態様として、当該反射ミラー３ａに走査された被変調光は、反射ミラー３ａによって反射されて、装置利用者の眼の網膜上を走査して画像を表示するものである。
【００３５】
前記被変調光出力系６は、被変調光出力部９と、コリメートレンズ１０とを備えている。前記走査系７は、第１走査部１１と、リレー光学系１２，１２と、第２走査部１３とを備えている。
【００３６】
被変調光出力部９は、外部機器から供給される画像信号Ｇで光を変調することにより被変調光として出力する光学機器である。該被変調光は、前記走査系７の前記光軸Ｋ２に平行な方向へ向けて、前記被変調光出力部９の被変調光出力口９ａから出力されるものである。コリメートレンズ１０は被変調出力口９ａから出力された被変調光を平行光にする光学機器である。
【００３７】
第１走査部１１は、被変調光を第１方向へ走査する光学機器である。ここで、第１方向とは例えば、水平方向が該当する。又、リレー光学系１２，１２は、複数の凸レンズを並設して構成されている。リレー光学系１２，１２は、第１走査部１１において第１方向へ走査された被変調光を第２走査部１３に導く光学機器である。第２走査部は、被変調光を第２方向へ向けて走査する光学機器である。ここで、第２方向とは、前述の第１方向とは直交する方向であって、例えば、垂直方向が該当する。
【００３８】
前記走査系７は前記眼鏡型装置枠体２のツル４内に設けられている。走査系７を構成する第１走査部１１、リレー光学系１２，１２、及び第２走査部１３はツル４の延設方向に沿って、即ち、装置利用者の耳側から眼側に向けて順にツル４内に配置されているが、少なくともリレー光学系１２，１２のみをツル４内に設けても良いし、又は、リレー光学系１２，１２の他に第１走査部１１又は第２走査部１３の少なくとも何れか一方をツル４内に設けるようにしても良い。又、前記被変調光出力系６は、前記ツル４内に設けても良いし、又はツル４の脇に沿って設けても良い。前述のように、リレー光学系１２，１２を含んだ前述の光学部品をツル４内に設ける構成として種々の態様が想定されるが、一つの態様として、ツル４を中空の管によって形成し、光学部品をツル４の中空内に配置し、該ツル４内に配置された第２走査部１３から出力される被変調光の照射口を該ツル４に穿孔することが考えられる。
【００３９】
次ぎに、被変調光出力部９の具体的構成について図２に基づき説明する。被変調光出力部９は、外部機器（図示せず）からの画像情報Ｇが入力される画像信号処理手段１４と、光源１５と、光源ドライバ１６とを備えている。そして、画像信号処理手段１４は、外部機器から供給される画像信号Ｇに基づいて、光源１５を駆動する光源ドライバ１６に対して強度変調信号を出力するものである。この強度変調信号によって強度が変調された光源１５からの出射光は、図１に示す被変調光出力口９ａから出力するものである。
【００４０】
次ぎに、第１走査部１１の具体的構成について図１に基づき説明する。第１走査部１１は具体的には、走査ミラーによって構成される。第１走査部１１は図１の紙面に対して垂直に延びる回転軸Ｌ１によって回転可能に設けられている。第１走査部１１は、該第１走査部１１の回転位置に応じた方向へ被変調光を走査するものである。
【００４１】
次ぎに第２走査部１３の具体的構成について図１に基づき説明する。第２走査部１３は具体的には、走査ミラーによって構成される。第２走査部１３は回転軸Ｌ２によって回転可能に設けられている。第２走査部１３は、該第２走査部１３の回転位置に応じた方向へ被変調光を走査するものである。
【００４２】
次ぎに、以上のように構成された画像表示装置の作用について説明する。画像表示装置１の不使用時においては、眼鏡型装置枠体２のツル４を前枠３に対して折畳んで携帯する。この状態において、走査系７のリレー光学系１２，１２等のように、ツル４内に設けられている光学部品は、ツル４の外部に露出していないため、当該携帯によって損傷したり、携帯者の邪魔にならない。
【００４３】
一方、画像表示装置１の使用時においては、眼鏡型装置枠体２のツル４を前枠３に対して伸長させ、眼鏡と同様に装置利用者の頭部に装着する。このように、装置利用者が眼鏡型装置枠体２を頭部に装着した状態において、走査系７のリレー光学系１２，１２等のように、ツル４内に設けられている光学部品は、ツル４の外部に露出していないため、当該装置の使用時において損傷したり、装置利用者の邪魔にならない。
【００４４】
そして、装置利用者が画像表示装置１の電源（図示せず）をオンさせて、画像表示装置１を作動させると、被変調光出力部９は、外部機器から入力した画像信号Ｇに基づき光を変調して、図３に示すように、被変調光出力口９ａから被変調光Ｈを出力する。被変調光Ｈはコリメートレンズ１０によって反射ミラー８に収束し、反射ミラー８によって、第１走査部１１へ向けて反射する。被変調光Ｈは第１走査部１１によって第１方向へ走査される。その後、被変調光Ｈはリレー光学系１２，１２によって第２走査部１３に導かれ、第２走査部１３において第２方向へ走査される。このように、第１走査部１１によって第１方向へ走査され、第２走査部１３によって第２方向へ走査された被変調光Ｈは、例えば、前枠３に設けられている反射ミラー３a上等を走査して反射ミラー３a上に画像を表示する。
【００４５】
ところで、特許文献１（特開２０００−１１１８２９）に記載の発明においては、図４に示すように、第１走査部１０４（ａ）と第２走査部１０４（ｂ）との間にリレー光学系が設けられていないため、第１走査部１０４（ａ）で走査された被変調光Ｈが第２走査部１０４（ｂ）に達する経路において拡がるため、第２走査部１０４（ｂ）の走査ミラーの照射面を広くする必要があり、必然的に第２走査部１０４（ｂ）の走査ミラーが大型化する。このように、第２走査部１０４（ｂ）の走査ミラーが大型化するため、第２走査部１０４（ｂ）の走査ミラーを円滑に駆動することができなかったり、第２走査部１０４（ｂ）の走査ミラーが装置利用者に触れ易く、装置利用者の邪魔になったりする等の現象があった。
【００４６】
しかし、図１に示す本発明の第１実施形態に係る画像表示装置１においては、該画像表示装置１を構成する第１走査部１１と第２走査部１３との間にリレー光学系１２，１２を配置したので、第１走査部１１で走査された光束が、第２走査部１３のミラー上に集められるため、第２走査部１３の偏向ミラーを小型にすることができ、装置枠体２のツル４内に配置することが十分に可能となる。従って、画像表示装置１全体を小型にすることが可能となる。このように、第２走査部１３を小型化させることができるため、第２走査部１３を円滑に駆動させることができ、又、仮に、第２走査部１３をツル４の外部に設ける場合であっても、第２走査部１３が装置利用者に触れる虞が少なくなって、装置利用者の邪魔になったりする等の虞が減少するという作用効果を奏する。
【００４７】
図５は、本発明の第２実施形態を示す。この第２実施形態の特徴は、反射ミラー８の位置を、第１実施形態に比較して、装置枠体２の前枠３側、即ち、装置利用者の眼側に移動することにより、第１走査部１１に入射する被変調光の入射角α´を、第１実施形態に示す入射角αに比較して、小さくした点にある。
【００４８】
次に、図６に基づき、前述のように、この第２実施形態における前記入射角α´が、第１実施形態における前記入射角αよりも小さくなることに基づく作用効果について説明する。第２実施形態のように被変調光Ｈ（図６中、実線で示す）が第１走査部１１に入射角α´で入射する場合の該被変調光Ｈの照射面をＳ´で示し、第１実施形態のように被変調光Ｈ（図６中、二点鎖線で示す）が第１走査部１１に入射角αで入射する場合の該被変調光Ｈの照射面をＳで示すと、第２実施形態の入射角α´は、第１実施形態の入射角αよりも小さいため、第２実施形態の照射面Ｓ´は、第１実施形態の照射面Ｓよりも狭くなる。このため、第２実施形態の第１走査部１１は、第１実施形態の第１走査部１１よりも小型に形成することができる。従って、第２実施形態の第１走査部１１は、第１実施形態の第１走査部１１よりも円滑に駆動させることができるだけでなく、画像表示装置１全体を小型化することができる。
【００４９】
図７は本発明の第３実施形態を示す。この第３実施形態の特徴は、被変調光出力部９の被変調光出力口９ａに対向して波面曲率変調部３１を設け、被変調光出力部９の被変調光出力口９ａと波面曲率変調部３１との間にビームスプリッタ３２を配置し、しかも、被変調光出力口９ａとビームスプリッタ３２との間の光路の光軸Ｋ３を走査系７中の中心光束の光軸Ｋ２に対して実質的に平行にした点にある。波面曲率変調部３１は可動ミラー３３と、凸レンズ３４を備えた構成である。波面曲率変調部３１は、別途、設けられた駆動手段によって、可動ミラー３３を凸レンズ３４に接近させ、又は、遠ざけることにより、被変調光の拡散の程度を調整する光学機器である。即ち、可動ミラー３３を凸レンズ３４の焦点位置に位置させると、図８（１）に示すように、被変調光Ｈが平行光になって装置利用者の眼Ｍに入射するため、１０ｍ以上遠方の位置Ｐ１に画像が存在するかのように装置利用者に認識させ、一方、図７に示す可動ミラー３３を凸レンズ３４の焦点位置よりも凸レンズ３４に接近させた位置に位置させると、図８（２）に示すように、被変調光Ｈが拡散光になって装置利用者の眼Ｍに入射するため、当該拡散光になった被変調光Ｈの拡散中心である位置Ｐ２に画像が存在するかのように装置利用者に認識させるものである。このように、第１走査部１１，第２走査部１３の他に波面曲率変調部３１を設けることにより、画像に遠近感をもたせたり、画像を立体的に表示できるものである。
【００５０】
このように構成された第３実施形態においては、図７に示すように、被変調光出力部９から出力された被変調光Ｈは凸レンズ１０、ビームスプリッタ３２を経て波面曲率変調部３１に入射する。被変調光Ｈは波面曲率変調部３１において拡散の程度が調整された後、ビームスプリッタ３２で反射されて、第１走査部１１に入射して第１方向へ走査され、リレー光学系１２，１２を経て、第２走査部１３で第２方向へ走査された後に、眼鏡型装置枠体２の反射ミラー３ａを走査し、装置利用者の眼の網膜上に画像を立体的に表示する。前記ビームスプリッタ３２によって、請求項９に記載の反射ミラーが構成される。
【００５１】
このように構成された第３実施形態においては、波面曲率変調部３１を被変調光出力系６内に設けて画像を立体的に表示する場合にも、被変調光出力系６の光路の光軸Ｋ３と、走査系７の中心光束の光軸Ｋ２とが平行になるため、被変調光出力系６は眼鏡型装置枠体２のツル４の内に設けられ、又は、当該ツル４に沿って設けることができる。
【００５２】
図９は本発明の第４実施形態を示す。この第４実施形態の特徴は、第１実施形態と比較して、眼鏡型装置枠体２の耳掛部４１を湾曲状に形成し、該耳掛部４１の折曲部４１ａに第１走査部１１を配置し、該耳掛部４１の後端側に被変調光出力部９を設け、第１実施形態の反射ミラー８を省略した点にある。
【００５３】
このように構成された第４実施形態の画像表示装置１の作用について図１０に基づき説明すると、被変調光出力部９から出力された被変調光Ｈは、コリメートレンズ１０によって収束した後、第１走査部１１に入射して該第１走査部１１で第１方向へ走査される。その後、リレー光学系１２，１２を経て、第２走査部１３で第２方向へ走査され、眼鏡型装置枠体２の反射ミラー３ａを走査して、画像を表示する。
【００５４】
このように構成された第４実施形態の画像表示装置１においては、第１走査部１１は眼鏡型装置枠体２の湾曲部４１ａに設置されているため、ツル４の形状を有効に利用することができる。又、図１０に示すように、被変調光出力部９から出力された被変調光Ｈが第１走査部１１に斜め前方から入射することになって、第１走査部１１に入射する入射角
α´´は第１実施形態の入射角αよりも大きくなるが、第１走査部１１と第２走査部１３との間にリレー光学系１２，１２が設けられているので、第１走査部１１で走査された光束が第２走査部１３に集められることができて、第２走査部１３を小型にすることができ、ツル４内に配置することが十分に可能となる。従って、画像表示装置１全体を小型にすることが可能となる。
【００５５】
図１１は第５実施形態を示す。この第５実施形態の特徴は、被変調光出力部９を眼鏡型装置枠体２の外部に別に設け、該被変調光出力部９から出力された被変調光Ｈを、光ファイバ等の光伝送部５１によって、眼鏡型装置枠体２の湾曲状の耳掛部４１の後端に導いて、第１走査部１１に照射するようにした点にある。このように構成した場合には、被変調光出力部９が、眼鏡型装置枠体２自体に設けられていないため、眼鏡型装置枠体２が軽量化し、装置利用者による画像表示装置１の使い勝手が向上する。
【００５６】
次に、前記被変調光出力部９の具体的構成について説明する。被変調光出力部９は、外部機器（図示せず）からの画像情報Ｇが入力される画像信号処理手段５２と、赤色光源５３、緑色光源５４、青色光源５５と、赤色光源ドライバ５６，緑色光源ドライバ５７，青色光源ドライバ５８と、コリメートレンズ５９，６０，６１と、波長選択性ミラー６２，６３，６４と、フォーカスレンズ６５とを備えている。そして、画像信号処理手段５２は、外部機器から供給される画像信号Ｇに基づいて、赤色光源５３，緑色光源５４、青色光源５５をそれぞれ駆動する赤色光源ドライバ５６、緑色光源ドライバ５７、青色光源ドライバ５８に対して強度変調信号を出力するものである。前記赤色光源５３、緑色光源５４、青色光源５５からの出射光は、コリメートレンズ５９，６０，６１によって略平行光線に成形された後に、前記波長選択性ミラー６２，６３，６４によって合波され、フォーカスレンズ６５を経て、被変調光Ｈとなって、被変調光出力口９ａから出力するものである。
【００５７】
図１２は第６実施形態を示す。この第６実施形態の特徴は、眼鏡型装置枠体２の装置利用者からの脱落を防止するための脱落防止部７１を設け、この脱落防止部７１に第５実施形態の光伝送部５１を設けた点にある。この脱落防止部６１の形状としては、例えば、紐等のように、装置利用者の首等の身体の一部に掛かり止めできるものや、ベルトやバンドのように装着者の後頭部に締めて装着できるものであれば良く、その形状を限定するものではない。
【図面の簡単な説明】
【００５８】
【図１】画像表示装置の一部平面図である。（第１実施形態）
【図２】画像表示装置の一部を構成する被変調光出力部の構成図である。                                                （第１実施形態）
【図３】画像表示装置の作用を説明する説明図である。  （第１実施形態）
【図４】画像表示装置の作用を説明するために用いた従来技術による画像表示装置の        一部構成図である。
【図５】画像表示装置の一部平面図である。（第２実施形態）
【図６】第２実施形態の画像表示装置の作用を説明する説明図である。（第２実施形態）
【図７】画像表示装置の一部平面図である。（第３実施形態）
【図８】画像表示装置の一部を構成する波面曲率変調部の作用を説明する説明図で        ある。                      （第３実施形態）
【図９】画像表示装置の側面図である。（第４実施形態）
【図１０】第４実施形態の画像表示装置の作用を説明する説明図である。                                      （第４実施形態）
【図１１】画像表示装置の側面図である。（第５実施形態）
【図１２】画像表示装置の側面図である。（第６実施形態）
【図１３】画像表示装置の斜視図である。（従来技術）
【符号の説明】
【００５９】
１  画像表示装置
２  装置枠体
３  前枠
４  ツル
８  反射ミラー
９  被変調光出力部
９ａ  被変調光出力口
１１  第１走査部
１２  リレー光学系
１３  第２走査部
３１  波面曲率変調部
４１  耳掛部
５１  光伝送部
７１  脱落防止部
Ｈ  被変調光
【図１】
2005156979.tif 000003
【図２】
2005156979.tif 000004
【図３】
2005156979.tif 000005
【図４】
2005156979.tif 000006
【図５】
2005156979.tif 000007
【図６】
2005156979.tif 000008
【図７】
2005156979.tif 000009
【図８】
2005156979.tif 000010
【図９】
2005156979.tif 000011
【図１０】
2005156979.tif 000012
【図１１】
2005156979.tif 000013
【図１２】
2005156979.tif 000014
【図１３】
2005156979.tif 000015